(57)【特許請求の範囲】
【請求項１】
複数のレコードを有し、各レコードについて、複数の共通項目に関するデータを記憶した第１共通フィールド群と、各レコードを識別するデータを記憶した第１識別フィールドと、他の複数の項目に関するデータを記憶した非共通フィールド群と、を含む変換元の取引データテーブルから、所定形式にデータを変換するデータ変換装置であって、
複数のレコードを有し、各レコードについて、前記第１共通フィールド群から移行して得られるデータを記憶する第２共通フィールド群と、前記第１識別フィールドから得られるデータを記憶する第２識別フィールドと、を含むインターフェイステーブルを作成するインターフェイステーブル作成手段と、
複数のレコードを有し、各レコードについて、前記第２共通フィールド群のデータから仕訳処理をして得られるデータを記憶する第３共通フィールド群と、前記非共通フィールド群から得られるデータを記憶する追加フィールドと、を含む変換先の会計データテーブルを作成する会計データテーブル作成手段と、
前記非共通フィールド群のうち少なくとも１つのフィールドを特定する情報を記憶するクエリ情報記憶部と、
を具備し、
前記会計データテーブル作成手段は、
前記インターフェイステーブルの各レコードについて、
前記第２共通フィールド群のデータから仕訳処理をして得られるデータを前記第３共通フィールド群に記憶させるとともに、前記第２識別フィールドのデータに基づいて前記取引データテーブルのレコードを特定し、該特定されたレコードに含まれる前記非共通フィールド群のうち、前記クエリ情報記憶部の情報によって特定されるフィールドのデータを、前記追加フィールドに記憶させる、データ変換装置。
【請求項２】
前記クエリ情報記憶部は、さらに、前記第２共通フィールド群の各フィールドを特定する情報と、前記第３共通フィールド群の各フィールドを特定する情報とを対応付けて記憶し、
前記会計データテーブル作成手段は、前記第２共通フィールド群のうち、前記クエリ情報記憶部の情報によって特定されるフィールドから得られるデータを、前記第３共通フィールド群のうち、前記クエリ情報記憶部の情報によって特定されるフィールドにそれぞれ記憶させる、請求項１記載のデータ変換装置。
【請求項３】
複数のレコードを有し、各レコードについて、複数の共通項目に関するデータを記憶した第１共通フィールド群と、各レコードを識別するデータを記憶した第１識別フィールドと、他の複数の項目に関するデータを記憶した非共通フィールド群と、を含む変換元の取引データテーブルと、
クエリ情報と、
を参照可能なコンピュータに以下の各ステップを実行させることによって前記取引データテーブルから所定形式にデータを変換するデータ変換方法であって、
複数のレコードを有し、各レコードについて、前記第１共通フィールド群から移行して得られるデータを記憶する第２共通フィールド群と、前記第１識別フィールドから得られるデータを記憶する第２識別フィールドと、を含むインターフェイステーブルを作成するインターフェイステーブル作成ステップと、
複数のレコードを有し、各レコードについて、前記第２共通フィールド群のデータから仕訳処理をして得られるデータを記憶する第３共通フィールド群と、前記非共通フィールド群から得られるデータを記憶する追加フィールドと、を含む変換先の会計データテーブルを作成する会計データテーブル作成ステップと、
を具備し、
前記会計データテーブル作成ステップは、
前記インターフェイステーブルの各レコードについて、
前記第２共通フィールド群のデータから仕訳処理をして得られるデータを前記第３共通フィールド群に記憶させるとともに、前記第２識別フィールドのデータに基づいて前記取引データテーブルのレコードを特定し、前記非共通フィールド群のうち少なくとも１つのフィールドを特定する前記クエリ情報を参照し、前記特定されたレコードに含まれる前記非共通フィールド群のうち、前記クエリ情報によって特定されるフィールドのデータを、前記追加フィールドに記憶させる、データ変換方法。
【請求項４】
複数のレコードを有し、各レコードについて、複数の共通項目に関するデータを記憶した第１共通フィールド群と、各レコードを識別するデータを記憶した第１識別フィールドと、他の複数の項目に関するデータを記憶した非共通フィールド群と、を含む変換元の取引データテーブルと、
クエリ情報と、
を参照可能なコンピュータに以下の各ステップを実行させることによって前記取引データテーブルから所定形式にデータを変換するデータ変換プログラムであって、
複数のレコードを有し、各レコードについて、前記第１共通フィールド群から移行して得られるデータを記憶する第２共通フィールド群と、前記第１識別フィールドから得られるデータを記憶する第２識別フィールドと、を含むインターフェイステーブルを作成するインターフェイステーブル作成ステップと、
複数のレコードを有し、各レコードについて、前記第２共通フィールド群のデータから仕訳処理をして得られるデータを記憶する第３共通フィールド群と、前記非共通フィールド群から得られるデータを記憶する追加フィールドと、を含む変換先の会計データテーブルを作成する会計データテーブル作成ステップと、
を実行させ、
前記会計データテーブル作成ステップは、
前記インターフェイステーブルの各レコードについて、
前記第２共通フィールド群のデータから仕訳処理をして得られるデータを前記第３共通フィールド群に記憶させるとともに、前記第２識別フィールドのデータに基づいて前記取引データテーブルのレコードを特定し、前記非共通フィールド群のうち少なくとも１つのフィールドを特定する前記クエリ情報を参照し、前記特定されたレコードに含まれる前記非共通フィールド群のうち、前記クエリ情報によって特定されるフィールドのデータを、前記追加フィールドに記憶させる、データ変換プログラム。
【発明の詳細な説明】
【技術分野】
【０００１】
本発明は、取引データテーブルから会計データテーブルを作成するデータ変換装置に関し、さらに、データ変換方法及びデータ変換プログラムに関する。
【背景技術】
【０００２】
企業において、業務を管理するコンピュータシステムとして、販売管理システム、生産管理システム、ビルマネジメントシステム、ビルメンテナンスシステム、プロジェクト管理システム等、種々のシステムが用いられる。これらの業務管理システムには、業務に関するデータの一部として、売上、入金、仕入、支払等の取引データも入力される。
一方、上述のような業務管理システムとは別に、企業において、財務全般を管理する会計システムが用いられる。そして、業務管理システムに入力された取引データを会計システムに移行するデータ連携が行われることがある。
【０００３】
また、企業において会計システムを入れ替えるために、旧会計システムに入力されていたデータ（これについても、ここでは「取引データ」と称する）を新たな会計システムに移行することもある。
【０００４】
従来、取引データを会計システムに移行するためには、変換元の取引データの仕様と、変換先の会計システムの仕様とに応じて、取引データから抽出すべき項目と、会計システムに移行したい項目と、を対応付けた変換プログラムを、個別に作成している。
【０００５】
下記の特許文献１には、財務情報の取引データを、統一した構造化言語のデータ形式に変換・蓄積するシステムが記載されており、取引データの項目名と、データ変換構造ルールの要素名との対応関係を記憶するマッピングファイルを参照して取引データから財務情報データを生成することが記載されている。
【０００６】
しかしながら、上述の技術においては、取引データの仕様や変換先のデータの仕様（細かな設定やカスタマイズを含む）が変わる度に、変換プログラム又はマッピングファイル全体を作り直さなければならず、手間と時間が掛かってしまうという問題がある。
【先行技術文献】
【特許文献】
【０００７】
【特許文献１】特開２００８−１６５６４１号公報
【発明の概要】
【発明が解決しようとする課題】
【０００８】
そこで本発明は、変換元の取引データの仕様や変換先の会計データの仕様が変わっても、簡単なクエリ情報の変更によって、容易にデータ変換を行うことのできるデータ変換装置、データ変換方法及びプログラムを提供することを目的とする。
【課題を解決するための手段】
【０００９】
上記課題を解決するため、本発明の１つの観点に係るデータ変換装置は、複数のレコードを有し、各レコードについて、複数の共通項目に関するデータを記憶した第１共通フィールド群と、各レコードを識別するデータを記憶した第１識別フィールドと、他の複数の項目に関するデータを記憶した非共通フィールド群と、を含む変換元の取引データテーブルから、所定形式にデータを変換するデータ変換装置であって、
複数のレコードを有し、各レコードについて、第１共通フィールド群から移行して得られるデータを記憶する第２共通フィールド群と、第１識別フィールドから得られるデータを記憶する第２識別フィールドと、を含むインターフェイステーブルを作成するインターフェイステーブル作成手段と、
複数のレコードを有し、各レコードについて、第２共通フィールド群のデータから仕訳処理をして得られるデータを記憶する第３共通フィールド群と、非共通フィールド群から得られるデータを記憶する追加フィールドと、を含む変換先の会計データテーブルを作成する会計データテーブル作成手段と、
非共通フィールド群のうち少なくとも１つのフィールドを特定する情報を記憶するクエリ情報記憶部と、を具備し、
会計データテーブル作成手段は、インターフェイステーブルの各レコードについて、第２共通フィールド群のデータから仕訳処理をして得られるデータを第３共通フィールド群に記憶させるとともに、第２識別フィールドのデータに基づいて取引データテーブルのレコードを特定し、該特定されたレコードに含まれる非共通フィールド群のうち、クエリ情報記憶部の情報によって特定されるフィールドのデータを、追加フィールドに記憶させる。
【発明の効果】
【００１０】
本発明によれば、例えば会計データの項目として一般的な項目に関する共通フィールドに関しては、取引データテーブルからデータを引き継いだインターフェイステーブルから得られるデータを会計データテーブルに記憶させる。他の項目に関する非共通フィールドに関しては、インターフェイステーブルを参照して取引データテーブルの各レコードを識別するデータを取得することにより取引データテーブルのレコードを特定し、該特定されたレコードから、クエリ情報によって特定されるフィールドのデータを会計データテーブルに記憶させる。これにより、取引データテーブルの仕様や会計データテーブルの仕様が変わっても、クエリ情報を変更しておけば、取引データテーブルからインターフェイステーブルにデータを流すことによって容易に会計データテーブルを作成することができる。
【図面の簡単な説明】
【００１１】
【図１】本発明の一実施形態に係るデータ変換装置とこれに接続される諸機器の概略構成図である。
【図２】データ変換装置が参照可能な取引データテーブルのデータ構成例を示す図である
【図３】上記実施形態に係るデータ変換装置の第１の動作例を示すフローチャートである。
【図４】第１の動作例において、取引データテーブルに基づいて作成したインターフェイステーブルと、このインターフェイステーブルに基づいて作成した会計データテーブルとを例示した図である。
【図５】上記実施形態に係るデータ変換装置の第２の動作例を示すフローチャートである。
【図６】第２の動作例において、取引データテーブルに基づいて作成したインターフェイステーブルと、このインターフェイステーブルに基づいて作成した会計データテーブルとを例示した図である。
【発明を実施するための形態】
【００１２】
以下、本発明の実施形態に係るデータ変換装置について、図面を参照しながら詳しく説明する。
【００１３】
＜１．データ変換装置の構成＞
図１は、本発明の一実施形態に係るデータ変換装置とこれに接続される諸機器の概略構成図である。データ変換装置２は、販売管理システム１１や生産管理システム１２等の業務管理システム１を構成するコンピュータ装置に接続されるとともに、会計システム３を構成するコンピュータ装置にも接続されるコンピュータ装置である。データ変換装置２は、業務管理システム１に入力されている取引データテーブル１００を参照可能となっている。また、データ変換装置２は、取引データテーブル１００から変換して得られたデータを、会計データテーブルとして会計システム３が利用できるように出力可能となっている。なお、ここでは、データ変換装置２は、業務管理システム１及び会計システム３とは別個のコンピュータ装置として図示したが、業務管理システム１又は会計システム３のコンピュータ装置にデータ変換装置２の機能を備えていても良い。
【００１４】
図２は、データ変換装置が参照可能な取引データテーブルのデータ構成例を示す図である。
取引データテーブル１００は、業務管理システム１の補助簿データとして保持されている。取引データテーブル１００は、シーケンシャル番号１０８で特定される複数のレコードを有している。取引データテーブル１００の各レコードは、複数の共通項目１０１〜１０７に関するデータを記憶した第１共通フィールド群と、各レコードを識別するシーケンシャル番号１０８を記憶した第１識別フィールドと、他の複数の項目１０９〜１１１に関するデータを記憶した非共通フィールド群と、を含んでいる。
業務管理システム１においては、このような取引データテーブルとして、例えば売上、入金、仕入、支払、等の複数のテーブルが用いられる。
【００１５】
図１に戻り、データ変換装置２の内部構成について説明する。
データ変換装置２は、インターフェイステーブル記憶部２０と、会計データテーブル記憶部２１と、クエリ情報記憶部２２と、インターフェイステーブル作成部２３と、会計データテーブル作成部２４とを具備している。
【００１６】
インターフェイステーブル記憶部２０は、取引データテーブル１００と会計データテーブルとの橋渡しを行うインターフェイステーブル２００を記憶するメモリ領域である。インターフェイステーブル記憶部２０には、複数のレコードのデータが記憶される。インターフェイステーブル記憶部２０の各レコードは、取引データテーブル１００の第１共通フィールド群から得られるデータを記憶する第２共通フィールド群と、取引データテーブルの第１識別フィールドから得られるデータを記憶する第２識別フィールドと、を含んでいる。
【００１７】
会計データテーブル記憶部２１は、取引データテーブル１００のデータを会計システム３が利用できるように変換して得られる会計データテーブル２１０を記憶するメモリ領域である。会計データテーブル記憶部２１には、複数のレコードのデータが記憶される。会計データテーブル記憶部２１の各レコードは、インターフェイステーブル２００の第２共通フィールド群から得られるデータを記憶する第３共通フィールド群と、取引データテーブル１００の非共通フィールド群から得られるデータを記憶する追加フィールドと、を含んでいる。
【００１８】
クエリ情報記憶部２２は、取引データテーブル１００のデータを所望の形式に変換して会計データテーブル２１０を作成するためのクエリ情報を記憶するメモリ領域である。クエリ情報記憶部２２は、取引データテーブル１００の非共通フィールド群のうち少なくとも１つのフィールドを特定するクエリ情報を記憶する。複数のフィールドを特定する場合には、各フィールドが会計データテーブル２１０におけるどの追加フィールドに対応するかについても記憶する。さらに、後述の第２の動作例において、クエリ情報記憶部２２は、インターフェイステーブル２００の第２共通フィールド群の各フィールドを特定する情報と、会計データテーブルの第３共通フィールド群の各フィールドを特定する情報とを対応付けて記憶しても良い。
【００１９】
インターフェイステーブル作成部２３は、取引データテーブル１００からインターフェイステーブル２００を作成する機能を有する。インターフェイステーブル作成部２３は、コンピュータ装置のメモリ領域にインターフェイステーブル記憶部２０を確保し、第２共通フィールド群と第２識別フィールドとを含む複数のレコードを有するインターフェイステーブル２００を作成する。
【００２０】
会計データテーブル作成部２４は、インターフェイステーブル２００から会計データテーブル２１０を作成する機能を有する。会計データテーブル作成部２４は、コンピュータ装置のメモリ領域に会計データテーブル記憶部２１を確保し、第３共通フィールド群と追加フィールドとを含む複数のレコードを有する会計データテーブル２１０を作成する。
【００２１】
＜２．データ変換装置の動作＞
＜２−１．第１の動作例＞
図３は、上記実施形態に係るデータ変換装置の第１の動作例を示すフローチャートである。データ変換装置２は、上述のインターフェイステーブル作成部２３、会計データテーブル作成部２４の各機能を実現するプログラムの各モジュールをコンピュータ読み取り可能な記憶媒体から読み出して実行することにより、以下の各ステップの処理を行う。
【００２２】
まず、インターフェイステーブル作成部２３は、コンピュータ装置のメモリ領域にインターフェイステーブル記憶部２０を確保する（Ｓ１）。そして、インターフェイステーブル作成部２３は、取引データテーブル１００の第１共通フィールド群から得られるデータを第２共通フィールド群に記憶させるとともに（Ｓ２）、取引データテーブル１００の第１識別フィールドから得られるデータを第２識別フィールドに記憶させる（Ｓ３）。なお、ここではステップＳ２とＳ３とをパラレルに処理するように図示したが、シリアルに処理しても良い。
【００２３】
図４は、第１の動作例において、取引データテーブルに基づいて作成したインターフェイステーブルと、このインターフェイステーブルに基づいて作成した会計データテーブルとを例示した図である。
図２及び図４に示すように、取引データテーブル１００の売上伝票番号１０１、売上日１０２、事業所コード１０３、得意先コード１０４、商品コード１０５、金額１０６、税額１０７の各項目のデータは、共通フィールドのデータとして、インターフェイステーブル２００の仕訳番号２０１、発生日２０２、事業所コード２０３、取引先コード２０４、商品コード２０５、金額２０６、税額２０７にそれぞれ引き継がれている。
【００２４】
また、取引データテーブル１００の売上シーケンシャル番号１０８のデータは、識別フィールドのデータとして、インターフェイステーブル２００の売上シーケンシャル番号２０８に引き継がれている。
取引データテーブル１００としては、売上のデータテーブルの他に、入金、仕入、支払等のデータテーブルからもデータを取得することができる。その場合は、入金、仕入、支払等のシーケンシャル番号のフィールド２０９に識別フィールドのデータが記憶される。従って、インターフェイステーブル２００において、シーケンシャル番号２０８、２０９が何番であるか、及び、そのシーケンシャル番号がどのフィールドに記憶されているかによって、インターフェイステーブル２００の当該レコードが、どの取引データテーブルのどのレコードに相当するかを特定することができる。
【００２５】
ここで、取引データテーブル１００の数量１０９、単価１１０、商品名１１１は、非共通フィールド群であって、インターフェイステーブル２００には記憶されない。従って、取引データテーブル１００の仕様が変わってもインターフェイステーブル２００のデータ構成を変更する必要はない。本実施形態は、このようにして取引データテーブル１００からインターフェイステーブル２００にデータを移行する作業を定型化していながら、次に述べる処理によって、任意の非共通フィールドのデータを会計データテーブルに移行できるようになっている。
【００２６】
次に、会計データテーブル作成部２４は、コンピュータ装置のメモリ領域に会計データテーブル記憶部２１を確保する（Ｓ４）。そして、会計データテーブル作成部２４は、インターフェイステーブル２００の第２共通フィールド群から得られるデータを第３共通フィールド群に記憶させるとともに（Ｓ５）、取引データテーブル１００の非共通フィールドから得られるデータを追加フィールドに記憶させる（Ｓ６）。なお、ここではステップＳ５とＳ６とをパラレルに処理するように図示したが、シリアルに処理しても良い。また、インターフェイステーブル作成部２３による処理（Ｓ１〜Ｓ３）の終了後に会計データテーブル作成部２４による処理（Ｓ４〜Ｓ６）を開始するように図示したが、インターフェイステーブル記憶部２０の確保（Ｓ１）と会計データテーブル記憶部２１の確保（Ｓ４）を行った後に、各テーブル記憶部への記憶処理（Ｓ２、Ｓ３、Ｓ５、Ｓ６）を行っても良い。
ステップＳ６においては、まず、インターフェイステーブル２００の第２識別フィールドのデータに基づいて、取引データテーブル１００のレコードを特定する。そして、この特定されたレコードに含まれる非共通フィールド群のうち、クエリ情報記憶部２２の情報によって特定されるフィールドのデータを追加フィールドに記憶させる。
【００２７】
図４に示すように、インターフェイステーブル２００の仕訳番号２０１、発生日２０２、事業所コード２０３、金額２０６、税額２０７の各項目のデータは、共通フィールドのデータとして、会計データテーブル２１０の仕訳番号２１１、発生日２１２、事業所コード２１３、金額（貸方）２１６、税額（貸方）２１７にそれぞれ引き継がれている。
【００２８】
図示した会計データテーブル２１０においては、さらに、借方の金額、税額、借方科目、貸方科目の各項目２１９が作成されている。これらの項目は、予め定めた仕訳ルールに従って定められるものである。これらの項目を作成するためには、取引データテーブルが例えば売上のテーブルであれば、借方／貸方に対して売掛金／売上の各科目名を記憶するようプログラムしておく。また例えば、予め定めた消費税の扱い（外税と内税、税込経理と税抜経理等）に応じて、金額欄を算出するようプログラムしておく。また例えば、売上という科目名に対して、インターフェイステーブル２００に記憶された商品コード等のデータに基づいて、どの商品の売上なのかを示す補助科目をさらに作成しても良い。
【００２９】
また、会計データテーブル２１０には、追加フィールドとして摘要２１８のフィールドが設けられており、インターフェイステーブル２００の第２識別フィールドで特定される取引データテーブル１００のレコードのうち、クエリ情報記憶部２２の情報によって特定される商品名１１１のデータが、摘要２１８に記憶されている。
ここで用いられるクエリ情報は、例えば、「取引データテーブルの商品名を追加フィールドに記憶」という内容を特定する情報であれば良い。このように簡単なクエリ情報を設定することにより、容易に非共通フィールドのデータを追加フィールドに記憶させることができる。
【００３０】
なお、ここではインターフェイステーブル２００から直接会計データテーブル２１０を作成する場合について説明したが、第１のインターフェイステーブル２００のデータに基づいて、上述の仕訳ルールに従った処理を施した第２のインターフェイステーブルを作成し、その後、第２のインターフェイステーブルに基づいて、追加フィールドを含む会計データテーブル２１０を作成するようにしても良い。
インターフェイステーブル２００は定型化されているので、仕訳処理のプログラムは１つ作成しておけば良く、変換元の取引データや変換先の会計データの仕様が変わっても、仕訳処理のプログラムは変更する必要がない。
【００３１】
第１の動作例によれば、取引データテーブル１００における任意の非共通フィールドのデータを会計データテーブル２１０に移行することができる。移行したい非共通フィールドに変更があっても、簡単なクエリ情報の変更によって、容易にデータ変換を行うことができる。
【００３２】
＜２−２．第２の動作例＞
図５は、上記実施形態に係るデータ変換装置の第２の動作例を示すフローチャートである。第２の動作例は、図３に示す第１の動作例におけるステップＳ５を若干変更したものである。その他のステップは第１の動作例と同様であるので説明を省略する。
第２の動作例においては、クエリ情報記憶部２２に、インターフェイステーブル２００の第２共通フィールド群の各フィールドを特定する情報と、会計データテーブル２１０ａの第３共通フィールド群の各フィールドを特定する情報とを対応付けたデータも記憶されているものとする。
【００３３】
第１の動作例のステップＳ５に代わる第２の動作例のステップＳ５ａにおいて、会計データテーブル作成部２４は、インターフェイステーブル２００の第２共通フィールド群から得られるデータを第３共通フィールド群に記憶させる際に、第２共通フィールド群のうちクエリ情報記憶部２２の情報によって特定されるフィールドから得られるデータを、第３共通フィールド群のうちクエリ情報記憶部２２の情報によって特定されるフィールドに、それぞれ記憶させる。
【００３４】
図６は、第２の動作例において、取引データテーブルに基づいて作成したインターフェイステーブルと、このインターフェイステーブルに基づいて作成した会計データテーブルとを例示した図である。インターフェイステーブル２００については、図４に示す第１の動作例と同様であり、会計データテーブル２１０ａが、図４に示す第１の動作例と異なる。
【００３５】
図６に示すように、インターフェイステーブル２００の仕訳番号２０１、発生日２０２、取引先コード２０４、金額２０６、税額２０７の各項目のデータは、共通フィールドのデータとして、会計データテーブル２１０ａの仕訳番号２１１、発生日２１２、借方及び貸方取引先２１４、金額（貸方）２１６、税額（貸方）２１７にそれぞれ引き継がれている。
ここで、会計データテーブル２１０ａは、第１の動作例における会計データテーブル２１０と項目の配置が異なっている。これは、例えば「インターフェイステーブルの取引先コードを、借方取引先、貸方取引先として記憶」というクエリ情報に基づいて、インターフェイステーブル２００の取引先コード２０４を会計データテーブル２１０ａの借方及び貸方取引先２１４として記憶したものである。
【００３６】
第２の動作例によれば、第１の動作例の効果を奏することに加え、会計データテーブル２１０ａにおけるフィールドの配置を任意の配置にすることができる。従って、取引データと連携する変換先の会計システムを変更しようとする場合にも、簡単なクエリ情報の変更によって、容易にデータ変換を行うことができる。
【符号の説明】
【００３７】
１…業務管理システム、２…データ変換装置、３…会計システム、１１…販売管理システム、１２…生産管理システム、２０…インターフェイステーブル記憶部、２１…会計データテーブル記憶部、２２…クエリ情報記憶部、２３…インターフェイステーブル作成部、２４…会計データテーブル作成部、１００…取引データテーブル、１０１…売上伝票番号、１０２…売上日、１０３…事業所コード、１０４…得意先コード、１０５…商品コード、１０６…金額、１０７…税額、１０８…売上シーケンシャル番号、１０９…数量、１１０…単価、１１１…商品名、２００…インターフェイステーブル、２０１…仕訳番号、２０２…発生日、２０３…事業所コード、２０４…取引先コード、２０５…商品コード、２０６…金額、２０７…税額、２０８…売上シーケンシャル番号、２０９…フィールド、２１０…会計データテーブル、２１０ａ…会計データテーブル、２１１…仕訳番号、２１２…発生日、２１３…事業所コード、２１４…貸方取引先、２１８…摘要
【図１】
0005441602.tif 000002
【図２】
0005441602.tif 000003
【図３】
0005441602.tif 000004
【図４】
0005441602.tif 000005
【図５】
0005441602.tif 000006
【図６】
0005441602.tif 000007